(57)【要約】【課題】  メモリカードスロットの入口を開閉するドアが、スロットに装着されるメモリカードをホールディングする機能を持つことにより、メモリカードの使用中の離脱問題を解消できる映像撮影装置のメモリカードスロット開閉用ドア装置を開示する。【解決手段】  本発明は、映像撮影装置のメモリカードスロットの入口にそのスロットを開閉するように回動自在に設けられるドアを含む。前記ドアは前記スロットの入口を閉鎖する方向に弾性バイアスされ、特に、前記ドアには前記スロットに装着されるメモリカードを摩擦力でホールディングするための少なくとも一つの摩擦パッドが設置されることを特徴とする。これによれば、スロットにメモリカードが挿入された状態で、ドアの摩擦パッドによる摩擦力が前記メモリカードに作用する。したがって、メモリカードにマルチカードソケットによる接続力とともにドアによる摩擦力が作用するため、メモリカードが離脱しやすくなくなる。【選択図】      図２
2005260947.tif 000002
【特許請求の範囲】
【請求項１】
補助記録装置としてメモリカードを使用する映像撮影装置のメモリカードスロットの入口に、そのスロットを開閉するように回動自在に設けられるドアを含む映像撮影装置のメモリカードスロット開閉用ドア装置であって、
前記ドアは前記スロットの入口を閉鎖する方向に弾性バイアスされ、
前記ドアには前記スロットに装着されるメモリカードを摩擦力でホールディングするための少なくとも一つの摩擦パッドが設置されることを特徴とする映像撮影装置のメモリカードスロット開閉用ドア装置。
【請求項２】
一対の前記摩擦パッドは前記ドアに一定間隔をおいて設けられることを特徴とする請求項１に記載の映像撮影装置のメモリカードスロット開閉用ドア装置。
【請求項３】
一定の高さを有する一対の第１摩擦パッドが前記ドアに一定間隔をおいて設けられ、前記第１摩擦パッドよりも高くもう一対の第２摩擦パッドが前記第１摩擦パッドの外側に設けられることを特徴とする請求項１に記載の映像撮影装置のメモリカードスロット開閉用ドア装置。
【請求項４】
前記摩擦パッドは前記ドアに一体に形成されることを特徴とする請求項１乃至３の何れか一項に記載の映像撮影装置のメモリカードスロット開閉用ドア装置。
【発明の詳細な説明】
【技術分野】
【０００１】
本発明は被写体の映像や音声情報などを記録媒体に記録して再生する映像撮影装置に関し、より詳しくは、補助記録装置として使用される各種規格のメモリカードが装着されるスロットの入口を開閉する映像撮影装置のメモリカードスロット開閉用ドア装置に関する。
【背景技術】
【０００２】
家電及び情報製品の市場は既に小型、高容量及び多機能を備えた製品が急速に発展しつつある。例えば、ＮＢ、コンピュータの周辺機器、ＰＤＡ、Ｗｅｂ-ＰＡＤ、デジタルカメラ及びデジタルカムコーダなどのような製品は、その大きさは小型になりつつあるが、資料記録容量は多様な機能の増加とともに益々大きくなっている。
【０００３】
資料記録の便利性と効用性を備えた記録媒体として、現在、以下のような各種規格のメモリカード、例えば、ＭＳ(メモリスティック)、ＳＤ(セキュアデジタル)カード、ＣＦ(コンパクトフラッシュ（登録商標）)カード、ＭＣ(マルチメディアカード)及びＳＭ(スマートメディア)カードなどが知られている。このようなメモリカードは、滞積が小さく、電力消費量が小さいだけでなく、資料保存性、資料転送率、再度記録性、耐震性及び防湿性の面において長所を持っている。
【０００４】
最近のデジタルカムコーダなどのような映像撮影装置は、動映像は勿論、停止画像も撮影して記録するスチルカメラ機能を持っている。このとき、動映像は磁気信号として磁気テープに記録し、停止画像はＰＣＭ化したデジタル信号として上述した各種メモリカードに記録する。このように停止画像をメモリカードに記録すれば、映像情報を電子的に抽出できるため、後に映像情報を多様に処理できる点で応用性が広い。
【０００５】
前記のように、補助記録装置として各種メモリカードを使用するために、映像撮影装置には、メモリカードが挿脱されるスロットと、前記スロットに挿入されるメモリカードのデータ処理のためのマルチカードソケットとが具備される。
【０００６】
また、前記スロットの入口にはドアが回動開閉可能に設けられるが、このドアはバネ等によりスロット入口を閉鎖する方向に弾性バイアスされるように設置される。したがって、メモリカードを使用しない時、前記スロットはドアにより閉鎖されるため、異物等がスロットに挿入されない。一方、メモリカードをスロットに押し込むと、外力によりドアが内側に回動しながらスロットが開放される。
【０００７】
しかしながら、前記のような一般の映像撮影装置では、スロットに装着されたメモリカードをその内部のマルチカードソケットの接続力だけでホールディングしているため、その装着状態が不安で、使用中にメモリカードが離脱しやすいという問題がある。特に、厚さや幅などのサイズが異なる様々な規格のメモリカードを一つのマルチカードソケットに接続させる傾向の増加と伴い、各カードの着脱に対する信頼性が低下することにより、使用中のメモリカードの離脱問題は不可避なことである。
【０００８】
映像撮影装置などの使用中にメモリカードがスロットから離脱すれば、映像情報などの記録にエラーが発生するため、使用中にメモリカードが任意に離脱することを防止する必要がある。
【特許文献１】韓国特許公開２００４−１７６４０号公報
【特許文献２】米国特許第６，４９３，０３３号
【発明の開示】
【発明が解決しようとする課題】
【０００９】
本発明は前記の問題点に鑑みてなされたもので、メモリカードスロットの入口を開閉するドアが、スロットに装着されるメモリカードをホールディングする機能を持つことで、使用中のメモリカードの離脱問題を解消できる映像撮影装置のメモリカードスロット開閉用ドア装置を提供することをその目的とする。
【００１０】
本発明の他の目的は、前記ドアのメモリカードホールディング機能が、メモリカードの厚さ及び幅に関係なしに全ての種類のメモリカードにも作用するようにすることにある。
【課題を解決するための手段】
【００１１】
前記目的を達成するために、本発明による映像撮影装置のメモリカードスロット開閉用ドア装置は、映像撮影装置のメモリカードスロットの入口にスロットを開閉するように回動自在に設けられるドアを含む。前記ドアは前記スロットの入口を閉鎖する方向に弾性バイアスされ、特に、前記ドアには前記スロットに装着されるメモリカードを摩擦力でホールディングするための少なくとも一つの摩擦パッドが設置されることを特徴とする。
【００１２】
本発明の好適実施例によれば、映像撮影装置のメモリカードスロット開閉用ドア装置は、一対の摩擦パッドが前記ドアに一定間隔をおいて設置される。
【００１３】
これによれば、スロットにメモリカードが挿入された状態で、ドアの摩擦パッドによる摩擦力が前記メモリカードに作用する。したがって、メモリカードにマルチカードソケットによる接続力とともにドアによる摩擦力が作用するため、メモリカードの装着状態が安定になり、メモリカードが離脱しやすい問題を解消できる。
【００１４】
本発明の他の好適実施例によれば、映像撮影装置のメモリカードスロット開閉用ドア装置は、一定の高さを持つ一対の第１摩擦パッドが前記ドアに一定間隔をおいて設置され、前記第１摩擦パッドも高くもう一対の第２摩擦パッドが前記第１摩擦パッドの外側に設置される。
【００１５】
これによれば、厚くて幅狭な例えばＭＳ等のようなメモリカードの使用時には前記第１摩擦パッドによる摩擦力が、そして、薄くて幅広な例えばＳＤ等のようなメモリカードの使用時には前記第２摩擦パッドによる摩擦力が、メモリカードに作用する。したがって、メモリカードの規格に関係なしに全てのメモリカードの使用中の離脱問題を解消できる。
【００１６】
前記摩擦パッドは前記ドアに一体に形成されることが望ましい。摩擦パッドの材質は摩擦力の大きいゴム等が望ましいが、これに限定されるものではない。
【発明の効果】
【００１７】
以上で説明したように、本発明によれば、補助記録装置として使用される各種規格のメモリカードの使用時、ドアがスロットに挿入されたメモリカードを所定の摩擦力でホールディングするので、使用中にメモリカードが離脱することを防止できる。
【００１８】
したがって、映像撮影装置の使用中のメモリカードの離脱により発生し得る映像情報記録エラーなどを予め防止できるので、消費者の満足度をより高めることができる。
【発明を実施するための最良の形態】
【００１９】
以下、添付図面に基づき、本発明の好適実施例を詳細に説明する。
【００２０】
図１は本発明によるメモリカードスロット開閉用ドア装置が適用された映像撮影装置の外観を示す斜視図、図２は本発明によるメモリカードスロット開閉用ドア装置の作用を示す一部切開断面図、図３は本発明の主要な摩擦パッドを備えたドアを示す斜視図である。
【００２１】
図１において、参照符号１は映像撮影装置の本体、１０はメモリカードである。同図に示すように、映像撮影装置の本体１の一側にはスロット２０が形成される。メモリカード１０は、図２のように、スロット２０に装着されてその内部のマルチカードソケット３０と接続される。
【００２２】
メモリカード１０は、厚さ及び幅のサイズが異なる様々な規格すなわちＭＳ、ＳＤ、ＭＭＣ及びＳＭ等のようなカードが共通的に利用される。このために、スロット２０は、例えば、厚くて幅狭なＭＳ等のようなメモリカードが挿入される第１スロット２１と、薄くて幅広なＳＤ等のようなメモリカードが挿入される第２スロット２２との２種類で形成されることができる。
【００２３】
また、スロット２０の入口にはスロット２０を選択的に開放させるドア４０が回動自在に設置される。望ましくは、ドア４０はその両側に形成された一対のヒンジ４１、４２(図３参照)によりスロット２０の内側に回動自在に設けられるが、平常時すなわちドアに外力が加えられない状態では、スロット２０の入口を閉鎖する方向に弾性バイアスされる。ここで、前記ドアを弾性バイアスする弾性部材としては、図示しないが前記ヒンジに介在されるバネ等からなることができる。
【００２４】
ドア４０は、本発明の特徴によってスロット２０の入口を開閉する機能の外に、スロット２０に挿入されたメモリカード１０が使用中に小さな衝撃等により離脱しやすくないように、所定の摩擦力でメモリカードをホールディングする機能を行う、少なくとも一つの摩擦パッド５０を備える。
【００２５】
摩擦パッド５０は、図３のように、ドア４０の一側に所定の高さに突出するように設置されるが、内側の一対の第１摩擦パッド５１の高さよりも外側の一対の第２摩擦パッド５２の方が高く設置される。
【００２６】
ここで、第１摩擦パッド５１は、第１スロット２１に挿入される厚くて幅狭なＭＳ等のようなメモリカード１０の一側面に接触して摩擦力を発生させるもので、第２摩擦パッド５２は、第２スロット２２に挿入される薄くて幅広なＳＤ等のようなメモリカード１０の一側面に接触して摩擦力を発生させるものである。
【００２７】
前記のような摩擦パッド５０は、ドア４０の表面に一体に射出成形されることができ、別途の摩擦パッド５０がドア４０の表面に付着されることもできる。望ましくは、ゴム等のような摩擦力の大きい部材をドア４０の形成時に二重射出成形により一体に形成することが良い。
【００２８】
前記のように構成された本発明による映像撮影装置のメモリカードスロット開閉用ドア装置は、一般のものと同様に、スロット２０の入口に回動開閉可能に設けられ、メモリカードを使用しない時、スロット２０にホコリや異物が挿入されないようにスロット２０を閉鎖する。
【００２９】
メモリカード１０を使用するために、メモリカード１０をスロット２０に押し込むと、ドア４０が内側に回動しながらメモリカード１０がスロット２０に挿入される。スロット２０に挿入されたメモリカード１０はスロット２０の内部のマルチカードソケットに接続される。
【００３０】
一方、メモリカード１０の挿入力により内側に回動するドア４０は、そのドアを弾性支持する弾性部材により反対方向（外側）に回転しようとする弾力を持ちながら、挿入されたメモリカード１０の表面と接触する。このとき、摩擦パッド５０が所定の摩擦力でメモリカード１０の表面と接触しながら、メモリカード１０をホールディングする。
【００３１】
したがって、スロット２０に装着されたメモリカード１０には、その内部のマルチカードソケットによる接続力とともに、摩擦パッド５０による摩擦力が加えられるので、メモリカード１０の装着状態がより堅くなり、映像撮影装置の使用中、小さな衝撃等によりメモリカード１０がスロット２０から離脱しやすくなる。
【００３２】
一方、本発明はドア４０に互いに異なる高さを持つ２対の摩擦パッド５１、５２が一定間隔をおいて具備されるため、厚くて幅狭なＭＳ等のようなメモリカードだけでなく、薄くて幅広なＳＤ等のようなメモリカードを使用する場合にも同じ圧力でメモリカードに摩擦力を発生させることができる。
【００３３】
以上、本発明の原理を例示するための好適実施例を説明したが、これに限定されず、添付の特許請求範囲の思想から逸脱しない範囲内で、多様に変形・実施できる。
【産業上の利用可能性】
【００３４】
メモリカード等のような補助記録装置を使用する各種電気や電子製品の本体に形成されたスロットのドアに、単純なドア機能の以外に、スロットに挿入されたメモリカードの離脱を防止する機能を付加することにより、デジタルカメラやビデオカメラの使用上の便利性を図る。
【図面の簡単な説明】
【００３５】
【図１】本発明によるメモリカードスロット開閉用ドア装置が適用された映像撮影装置の外観を示す斜視図である。
【図２】本発明によるメモリカードスロット開閉用ドア装置の作用を示す一部切開断面図である。
【図３】本発明の主要な摩擦パッドが具備されたドアを示す斜視図である。
【符号の説明】
【００３６】
１０  メモリカード
２０  スロット
３０  マルチカードソケット
４０  ドア
５０、５１、５２  摩擦パッド
【図１】
2005260947.tif 000003
【図２】
2005260947.tif 000004
【図３】
2005260947.tif 000005